(57)【特許請求の範囲】
【請求項１】
発光素子および前記発光素子を実装した実装基板を備える光源モジュールと、
前記光源モジュールが上面に載置され、設置面又は／及び取付器具に取り付けられる取付部が底面側に設けられた取付台と、
前記取付台の上面に固定され、前記光源モジュールの配光を制御する反射鏡と、を備え、
前記光源モジュールが前記発光素子と前記取付台間の絶縁を保持する絶縁板を備え、前記絶縁板および前記実装基板は矩形形状を備え、前記絶縁板が前記実装基板に対して各頂点をずらして構成され、前記取付台の上面に前記絶縁板および前記実装基板の各外形形状に合わせた溝を形成し、
前記発光素子に電気的に接続され、リード線が接続されるコネクタを前記実装基板の裏面、かつ前記絶縁板を避けた位置に突設し、前記取付台の上面には前記底面側に貫通し前記実装基板が載置されたときに前記コネクタが入り込む貫通孔を設けた
ことを特徴とする光源ユニット。
【請求項２】
前記取付台には前記反射鏡の下端部が挿入固定され、前記反射鏡の下端と前記取付台の間には、挿入された反射鏡の下端を押圧する弾性部材を備えたことを特徴とする請求項１に記載の光源ユニット。
【請求項３】
前記反射鏡、及び前記取付台が高熱伝導性材から形成され、
前記反射鏡の下端部には前記取付台に挿入されて前記取付台と面で接触するフランジ部を備えたことを特徴とする請求項２に記載の光源ユニット。
【請求項４】
前記反射鏡の下端部を前記取付台にねじ込み固定したことを特徴とする請求項１ないし３のいずれかに記載の光源ユニット。
【請求項５】
前記取付台の取付部には、前記設置面又は／及び前記取付器具に設けられた保持アダプターに係合して保持される係合部を備えることを特徴とする請求項１ないし４のいずれかに記載の光源ユニット。
【発明の詳細な説明】
【技術分野】
【０００１】
本発明は、光源と、反射鏡と、を備える光源ユニットに関する。
【背景技術】
【０００２】
従来、ＬＥＤ等の発光素子を光源とし、この光源を基板に実装し、更に、光源の前方に配置されるレンズを含むレンズ体とを備え、当該レンズ体で、光源の配光特性を制御している光源ユニットが知られている（例えば、特許文献１参照）。
【先行技術文献】
【特許文献】
【０００３】
【特許文献１】特開２００２−３０４９０４号公報
【発明の概要】
【発明が解決しようとする課題】
【０００４】
しかしながら、光源、及び、実装基板を含む実装電子部品がレンズ体で常に覆われた状態となるため、光源を含む実装電子部品からの発熱がレンズ体によってユニット内部に籠りやすくなるという問題がある。レンズ体によってユニット内部に熱が籠るのを防止するためには、光源の配光特性をレンズ体ではなく、反射鏡を用いて制御する構成が考えられる。反射鏡を用いることによって、光源が露出するため、光源の発熱がユニット内部に籠るのを防止することはできるが、反射鏡の焦点と光源の位置合わせを高精度に行う必要があり、組み立てを容易に行うことができなかった。
本発明は、上述した従来の技術が有する課題を解消し、組み立て時に反射鏡の焦点と光源の位置合わせを高精度に行うことができ、反射鏡の焦点と光源の位置ずれを防止することができる光源ユニットを提供することを目的とする。
【課題を解決するための手段】
【０００５】
上記目的を達成するために、本発明は、発光素子および前記発光素子を実装した実装基板を備える光源モジュールと、前記光源モジュールが上面に載置され、設置面又は／及び取付器具に取り付けられる取付部が底面側に設けられた取付台と、前記取付台の上面に固定され、前記光源モジュールの配光を制御する反射鏡と、を備え、前記光源モジュールが前記発光素子と前記取付台間の絶縁を保持する絶縁板を備え、前記絶縁板および前記実装基板は矩形形状を備え、前記絶縁板が前記実装基板に対して各頂点をずらして構成され、前記取付台の上面に前記絶縁板および前記実装基板の各外形形状に合わせた溝を形成し、前記発光素子に電気的に接続され、リード線が接続されるコネクタを前記実装基板の裏面、かつ前記絶縁板を避けた位置に突設し、前記取付台の上面には前記底面側に貫通し前記実装基板が載置されたときに前記コネクタが入り込む貫通孔を設けたことを特徴とする。
【０００６】
また、本発明は、上記の光源ユニットにおいて、前記取付台には前記反射鏡の下端部が挿入固定され、前記反射鏡の下端と前記取付台の間には、挿入された反射鏡の下端を押圧する弾性部材を備えたことを特徴とする。
【０００７】
また、本発明は、上記の光源ユニットにおいて、前記反射鏡、及び前記取付台が高熱伝導性材から形成され、前記反射鏡の下端部には前記取付台に挿入されて前記取付台と面で接触するフランジ部を備えたことを特徴とする。
【０００８】
また、本発明は、上記の光源ユニットにおいて、前記反射鏡の下端部を前記取付台にねじ込み固定したことを特徴とする。
【０００９】
また、本発明は、上記の光源ユニットにおいて、前記取付台の取付部には、前記設置面又は／及び前記取付器具に設けられた保持アダプターに係合して保持される係合部を備えることを特徴とする。
【発明の効果】
【００１０】
本発明によれば、発光素子および前記発光素子を実装した実装基板を備える光源モジュールと、前記光源モジュールが上面に載置され、設置面又は／及び取付器具に取り付けられる取付部が底面側に設けられた取付台と、前記取付台の上面に固定され、前記光源モジュールの配光を制御する反射鏡と、を備え、前記発光素子に電気的に接続され、リード線が接続されるコネクタを前記実装基板の裏面に突設し、前記取付台の上面には前記底面側に貫通し前記実装基板が載置されたときに前記コネクタが入り込む貫通孔を設けたため、リード線は、反射鏡が備えられた光源モジュールの表面ではなく、取付台の貫通孔を通して、実装基板の裏面のコネクタに接続することができ、反射鏡を取付台の上面に固定することで反射鏡の焦点を光源モジュールに合わせて配置するとともに、コネクタを貫通孔に入り込ませることで、光源モジュールを取付台に対して位置決めすることができ、組み立て時に反射鏡の焦点と光源の位置合わせを高精度に行うことができ、反射鏡の焦点と光源の位置ずれを防止することができる。
【図面の簡単な説明】
【００１１】
【図１】本発明の実施形態に係る光源ユニットを示す斜視図である。
【図２】光源ユニットの分解斜視図である。
【図３】反射鏡の取付台への固定構造を示す部分拡大図。
【図４】反射鏡の取付台への挿入状態を示す部分拡大断面図であり、図４（Ａ）は挿入の途中を示し、（Ｂ）は挿入の完了時を示す。
【図５】光源モジュールを上面に載置した取付台の平面図である。
【図６】光源ユニットの断面図である。
【図７】光源ユニットと保持アダプターの斜視図である。
【図８】保持アダプターの分解斜視図である。
【図９】保持アダプターと光源ユニットの係合構造を示す平面図である。
【図１０】光源ユニットを保持アダプターに取り付けた状態を示す斜視図である。
【図１１】別の実施形態の保持アダプターと光源ユニットの斜視図である。
【図１２】光源モジュールを内蔵させた照明装置の断面図である。
【発明を実施するための形態】
【００１２】
以下、本発明の実施の形態を、図面を参照しながら説明する。
本構成に係る光源ユニット１は、図１、図２に示すように、光源モジュール（光源）１０と、反射鏡２０と、取付台３０と、を備える。光源ユニット１は、光源モジュール１０、及び、反射鏡２０を、取付台３０に固定して、取付台３０を設置面又は／及び取付器具に取り付けて用いられる。光源モジュール１０の配光は、反射鏡２０で制御されて、反射鏡２０の形状で、所望の配光を形成することができる。なお、以下の説明において、上下等の方向は、光源ユニット１の照射方向を上とした場合に対応する方向である。
【００１３】
光源モジュール１０は、発光素子（光源）１１と、発光素子１１を実装した実装基板１２と、発光素子１１、取付台３０間の絶縁を保持する絶縁板１３と、を備える。発光素子１１には、例えばＬＥＤ等、面発光する発光ダイオードを好適に用いることができる。発光素子１１は、発光面１１Ａを上に向けて配置され、実装基板１２の裏面１２Ａに実装される。つまり、実装基板１２は、裏面１２Ａが実装面として構成され、当該実装面１２Ａを下に向けて配置される。実装基板１２の略中央には、発光素子１１の発光面１１Ａが臨む開口１２Ｂが形成される。実装基板１２の実装面１２Ａには、発光素子１１に電気的に接続され、リード線が接続されるコネクタ１４が略垂直に突設される。発光素子１１は、絶縁板１３を間に挟んで取付台３０の上面３１に載置される。絶縁板１３は、セラミック等の絶縁性と熱伝導性に優れた材料を用いて形成される。
【００１４】
取付台３０の上面３１には、反射鏡２０が固定される。反射鏡２０は、焦点が発光素子１１の位置に合うように構成されて、発光素子１１の配光、例えば、光が広がる角度、を制御する。光源ユニット１は、詳細については、後述するが、取付台３０に光源モジュール１０及び反射鏡２０を固定した際に、反射鏡２０の焦点が発光素子１１の位置に合うように構成されている。反射鏡２０は、熱伝導性に優れた、高熱伝導性材を用いて、例えば、アルミニウムダイキャスト等によって、形成され、内周面が鏡面の反射部２１と、反射部２１の下端に設けられたフランジ部２４と、を備える。反射部２１の上端には、放射開口２２が設けられ、放射開口２２には、カバー４０が取り付けられる。放射開口２２には、周縁部にカバー４０が係止される係止孔２３が周方向に並べて複数設けられている。反射鏡２０の下端部側に設けられたフランジ部２４は、取付台３０に挿入固定される。
【００１５】
取付台３０は、熱伝導性に優れた高熱伝導性材を用いて、例えば、アルミニウムダイキャスト等によって形成され、上面３１側には、周壁３２に、反射鏡２０を固定する固定部３３が備えられる。固定部３３は、周壁３２の周方向に１８０度間隔で２箇所に設けられる。固定部３３は、周壁３２の２箇所に固定される他に、例えば、１２０度間隔で、或いは、９０度間隔で複数設けられる構成であっても良い。
図３は、固定部３３の拡大図であり、固定部３３は、取付台３０の周壁３２を上縁から上下方向に切り欠いた縦溝３３Ａと、この縦溝３３Ａの下端部から横に延びる横溝３３Ｂと、横溝３３Ｂの端部を上側にわずかに拡径したロック溝３３Ｃとを備える。反射鏡２０のフランジ部２４には、下端部２５に凸部２６が設けられる。反射鏡２０は、図３中に破線矢印Ｘで示すように、取付台３０に、固定部３３の縦溝３３Ａと、フランジ部２４の凸部２６と、の位置を合わせて、固定部３３に挿入される。次に、反射鏡２０は、凸部２６を、横溝３３Ｂに沿って、凸部２６がロック溝３３Ｃに引っ掛かるまで、固定部３３に対して回転させられて、取付台３０にねじ込み固定される。
【００１６】
図４は、反射鏡２０の取付台３０への挿入状態を示す部分拡大断面図であり、反射鏡２０は、図４（Ａ）、及び、図４（Ｂ）に示すように、フランジ部２４の外周の径寸法Ｒ１が、取付台３０の周壁３２の内周径寸法Ｒ２よりも僅かに大きく形成され、下端部２５には、下方に向かい縮径する約２°程度の傾き（テーパ）αが形成される。また、フランジ部２４の形状に対応させて、取付台３０の周壁３２にも同様に、上方に向かい拡径する約２°程度の傾き（テーパ）βが形成されている。そのため、反射鏡２０のフランジ部２４を取付台３０に挿入する際に、挿入し易く、且つ、下端部２５の周縁２５Ａは、取付台３０の周壁３２に面で接触可能となる。これにより、光源モジュール１０の熱を、取付台３０、及び、反射鏡２０に伝熱させて、取付台３０、及び、反射鏡２０の表面から効率よく放熱させることができる。
【００１７】
この構成によれば、反射鏡２０を、取付台３０にねじ等の固定具や、固定治具等を用いることなく簡単にねじ込み固定することができるため、光源ユニット１の組み立て時の作業性を向上することができる。また、反射鏡２０を取付台３０にねじ等の固定具で固定する場合には、ねじ孔などを形成するために、取付台３０の外形寸法が大きくなることが考えられるが、本構成によれば、反射鏡２０を、取付台３０にねじ等の固定具で固定必要がないため、取付台３０の小型化を図ることができ、発光素子１１の発光部の外径と、取付台３０の外径との比を、例えば、１対５以下に形成することができる。また、ねじ等の固定具を用いる必要がなく、コストの削減を図ることができる。
【００１８】
取付台３０は、底面３７側に、取付部（下端部）３４を備える。取付部３４は、詳細については後述するが、光源ユニット１が設置される不図時の設置面又は取付器具に予め設けられた保持アダプター５０に係合して保持される係合部３５を備える。
【００１９】
光源モジュール１０は、図５に示すように、略矩形に形成された実装基板１２を、略矩形に形成された絶縁板１３に対して互いの各頂点が４５度ずれるようにして構成される。実装基板１２の頂点の１つには、コネクタ１４が裏面１２Ａから突設される。実装基板１２は、絶縁板１３に、位相を４５度ずらして設けられため、実装基板１２の裏面１２Ａからコネクタ１４を突設させても、コネクタ１４を、絶縁板１３に遮られることなく、下方に延ばすことができる。
取付台３０は、上面３１に、光源モジュール１０の外形形状に合わせて形成され、光源モジュール１０の位置決めをする溝３１Ａと、３１Ｂと、を備える。溝３１Ａは、絶縁板１３の外径形状に合わせて形成され、溝３１Ｂよりも深く形成される。溝３１Ａの上面には絶縁板１３が載置される。溝３１Ｂは、実装基板１２の外形形状に合わせて形成される。溝３１Ａと、溝３１Ｂとは、溝３１Ａの上面に絶縁板１３を載置した際に、溝３１Ｂの上面に実装基板１２が載置されるように構成されている。
【００２０】
取付台３０は、図６に示すように、上面３１に、底面３７側に貫通する貫通孔３６を備える。貫通孔３６には、光源モジュール１０を取付台３０の上面３１に載置した際に、実装基板１２の裏面１２Ａに突設されたコネクタ１４が入り込むように構成されている。この構成によれば、発光素子１１に電気的に接続され、リード線が接続されるコネクタ１４を実装基板１２の裏面１２Ａから突設させて、このコネクタ１４を取付台３０の上面３１から底面３７側に貫通する貫通孔３６に入り込ませて、光源モジュール１０を、取付台３０に取り付けることができる。これにより、リード線を貫通孔３６を通して配線することができ、光源ユニット１の配線を、光源ユニット１の上側、或いは、横側に出す必要が無い為、光源ユニット１の外径内で配線を行うことができる。また、光源モジュール１０の配線を気にすることなく、光源モジュール１０と反射鏡２０との固定を行うことができる。これにより、組み立て時に反射鏡２０の焦点と光源モジュール１０の位置合わせを高精度に行うことができ、反射鏡の焦点と光源の位置ずれを防止することができる。
【００２１】
また、この構成によれば、配線によって反射鏡２０の焦点位置が、発光素子１１の位置からずれることを気にすることなく、組み立て時に反射鏡２０の焦点と発光素子１１の位置合わせを簡単に高精度に行うことができる。また、光源モジュール１０の配線を貫通孔３６を介して行うことができるため、電線を光源ユニット１を設置面又は／及び取付器具に取り付ける取付部３４を備える取付台３０の底面３７側から配線することができ、配線時に、部品との接触によって電線に傷などの影響が及ぶのを防止することができ、品質の安定化を図ることができる。また、リード線を光源ユニット１の底面側から引き出されて、外径内で配線することができるため、光源モジュール１０と、反射鏡２０と、取付台３０とで一体に構成された光源ユニット１の配線を光源ユニット１の組み立て後に、電源に電気接続することができるため、光源ユニット１を、例えば既存の照明装置の光源の代替として用いる等、様々な用途で使用することが可能となる。
【００２２】
反射鏡２０は、フランジ部２４の下端部２５が取付台３０に挿入固定され、下端部２５の周縁２５Ａは、取付台３０の周壁３２に面で接触する。また、フランジ部２４の、下端２５Ｂは、取付台３０の上面３１に面で接触する。これらの構成によれば、反射鏡２０、及び、取付台３０は、高熱伝導性材から形成され、取付台３０の上面３１に光源モジュール１０を載置し、反射鏡２０の下端部２５と、取付台３０とを面で接触させた。これにより、光源モジュール１０の熱を、取付台３０、及び、反射鏡２０に伝熱させて、取付台３０、及び、反射鏡２０の表面から効率よく放熱させることができる。
【００２３】
取付台３０の上面３１には、反射鏡２０の光軸周りに環状の溝である環状溝３６Ｂが形成される。環状溝３６Ｂには、パッキンやＯリング等の弾性部材４１が、反射鏡２０の光軸周りに均等に備えられている。弾性部材４１は、高い熱伝導性を有するシリコンゴムなどから形成される。取付台３０に反射鏡２０を取り付ける際には、取付台３０の上面３１、及び／或いは、反射鏡２０のフランジ部２４の下端部２５には、熱伝導性に優れた高熱伝導接着剤（シリコンシーリング材）が塗布される。次に、反射鏡２０は、凸部２６の位置を固定部３３の縦溝３３Ａに合わせて、フランジ部２４の下端部２５を、取付台３０に挿入する。続いて、凸部２６が、ロック溝３３Ｃに係合するまで、固定部３３に沿って反射鏡２０を回転させて、反射鏡２０は、取付台３０にねじ込み固定される。この際に、弾性部材４１は、弾性変形し、反射鏡２０を上方に押圧する。凸部２６が、固定部３３のロック溝３３Ｃの位置まで来ると、反射鏡２０は、弾性部材４１の反発弾性作用によって押し上げられて、ロック溝３３Ｃに係止される。
【００２４】
この構成によれば、弾性部材４１によって、反射鏡２０の凸部２６がロック溝３３Ｃに係止されるため、反射鏡２０を取付台３０に接着固定する高熱伝導接着剤が硬化するまでの間、反射鏡２０が取付台３０に対して回転するのを防止することができるため、組み立て作業の効率化を図ることができる。また、反射鏡２０の下端２５Ｂを、弾性部材４１で押圧して、接着剤が硬化するまで保持することができるため、反射鏡２０を所望の位置に固定することができる。これにより、組み立て時に反射鏡２０の焦点と光源モジュール１０の位置合わせを高精度に行うことができ、反射鏡２０の焦点と光源モジュール１０の位置ずれを防止することができる。
【００２５】
光源ユニット１は、光源モジュール１０と、フランジ部２４の間に、発光素子１１の発光を遮らないように発光素子１１の上方に孔４３を有し、弾性を有する材料から形成されたパッキン（弾性部材）４２を備える。パッキン４２は、高い絶縁性、及び熱伝導性を有するシリコン材等から形成される。パッキン４２は、光源ユニット１を組み立てた際に、光源モジュール１０の上面と、反射鏡２０の下面との間に配置され、光源モジュール１０を取付台３０の上面３１に対して押圧すると共に、反射鏡２０を反発弾性作用により押圧する。
【００２６】
この構成によれば、光源モジュール１０、及び、反射鏡２０は、パッキン４２に押圧されて、所望の位置に固定されるため、組み立て時に反射鏡２０の焦点と光源モジュール１０の位置合わせを高精度に行うことができ、反射鏡２０の焦点と光源モジュール１０の位置ずれを防止することができる。また、この構成によれば、光源モジュール１０は、パッキン４２を間に挟んで、反射鏡２０によって取付台３０の上面３１に押さえつけて固定することができ、組み立て時の作業性を向上することができる。
【００２７】
次に、光源ユニット１の設置面又は／及び取付器具への取付構造について説明する。取付台３０は、図７に示すように、底面３７側に、取付部３４を備える。取付部３４は、光源ユニット１を不図示の設置面又は／及び取付器具へ取り付けるために形成され、光源ユニット１の設置面又は／及び取付器具に設けられた保持アダプター５０に挿入固定される。保持アダプター５０は、上面５０Ａ側に、取付部３４が挿入される環状の環状部５４を備える。保持アダプター５０の底面側には、保持アダプター５０を保持アダプター５０の底面側から嵌合されるねじ等で設置面又は／及び取付器具へ固定できる程度の深度を有するベース部５９を備える。
【００２８】
環状部５４には、取付部３４を環状部５４に挿入固定する際に、取付部３４に設けられたガイド凸部３８をガイドするガイド溝５１が備えられる。環状部５４の内側には、図８に示すように、弾性鋼材で形成された弓状のバネ５５が挿入されている。バネ５５は、１本の棒状の弾性鋼材を任意の形状に曲げて形成される。バネ５５は、図９に示すように、バネ５５を環状部５４に装着した際に、環状部５４のスリット５２に挿着される挿着部５６を備える。バネ５５は、周方向外側に突出する複数の挿着部５６を備え、挿着部５６間には、周方向内側に突出するように曲げられた突出部５７を備える。
【００２９】
取付部３４は、保持アダプター５０に挿着されたバネ５５に係合する係合部３５を備える。係合部３５は、取付部３４のガイド凸部３８を、保持アダプター５０のガイド溝５１に沿って挿入しねじ込んだ際に、バネ５５を弾性変形させて引きかけられる。図９（Ａ）は、取付部３４を、保持アダプター５０に挿入した際のバネ５５と、係合部３５の構成を示すであり、図９（Ｂ）は、取付部３４を保持アダプター５０に対してねじ込んで、係合部３５によってバネ５５が変形している状態を示す図であり、図９（Ｃ）は、バネ５５が弾性変形し、係合部３５がバネ５５に係止している状態を示す図である。
【００３０】
取付部３４は、図１０に示すように、ガイド凸部３８をガイド溝５１に沿って、ガイド溝５１の最も奥まで来るように環状部５４に対してねじ込んだ際に、係合部３５がバネ５５に係止される位置となるように設定されている。この構成によれば、光源ユニット１は、取付部３４に設けられたガイド凸部３８を、保持アダプター５０のガイド溝５１に沿って挿入し、ねじ込むことで、バネ５５の弾性変形を利用して、ねじ等を用いることなく、保持アダプター５０に脱着自在に取り付けることができ、光源ユニット１は、設置面又は／及び取付器具へ取付／交換を、簡単に行うことができる。
【００３１】
保持アダプター５０は、ベース部５９に、表裏に貫通しリード線を通す孔５８を備える。この構成によれば、光源ユニット１に延びるリード線を保持アダプター５０の孔５８を通して、配線することができ、リード線を光源ユニット１、及び、保持アダプター５０の外径内で配線することができる。また、保持アダプター５０は、ベース部５９に、設置面又は／及び取付器具から延びるアーム等の支持部材を保持アダプター５０にねじ等で固定することができる固定孔５３を備える構成であってもよい。光源ユニット１は、例えば、壁面等の設置面に保持アダプター５０を直接固定して、スポットライト等の照明装置として用いることができる。
【００３２】
保持アダプター５０は、光源ユニット１の使用用途や、光源ユニット１を取り付ける設置面又は／及び取付器具の形状に基づいて、任意の形状に形成することができる。例えば、図１１に示すように、環状部５４に、環状部５４を光源ユニット１の設置面又は／及び取付器具に固定するベース部５９を備える保持アダプター６０を用いても良い。ベース部５９には、保持アダプター６０を光源ユニット１の設置面又は／及び取付器具に不図示のねじで固定するためのねじ孔６１が周方向に間隔をあけて複数設けられている。保持アダプター６０は、上述の保持アダプター６０と同様に、環状部５４の内側には、バネ５５が挿着されている。この構成によれば、設置面又は／及び取付器具に予め保持アダプター６０を固定しておくだけで、光源ユニット１を、保持アダプター６０にねじ込み固定して取り付けることができ、光源ユニット１の設置面又は／及び取付器具への取付／交換を、簡単に行うことができる。
【００３３】
また、光源ユニット１は、図１２に示すように、電源基板７１を内部に備える照明装置７０の灯具本体７２内に挿入して、照明装置７０の光源として用いることができる。照明装置７０は、灯具本体７２を、任意の設置面７４にアーム７３で指示して、例えばスポットライトとして用いることができる。照明装置７０は、灯具本体７２の端部がそれぞれ、前面カバー７５、蓋体７６で閉じられている。この構成において、照明装置７０は、灯具本体７２の内部に、上述の保持アダプター５０，６０を内蔵し、光源ユニット１を、この保持アダプター５０，６０にねじ込み固定可能に構成されていても良い。
また、図示は省略するが、照明装置７０の灯具本体７２に、光源ユニット１、および、実装基板１２を内蔵する際に、前面カバー７５と反射鏡２０との間、および、電源基板７１と蓋体７６との間、に高い絶縁性、及び、熱伝導性を有するシリコン材等から形成される弾性部材（パッキン）を用いて支持する構成とし、灯具本体７２への雨水等の浸入を防止し、屋外で使用可能にすることもできる。
【００３４】
以上説明したように、本発明を適用した実施形態によれば、発光素子１１および発光素子１１を実装した実装基板１２を備える光源モジュール１０と、光源モジュール１０が上面３１に載置され、設置面又は／及び取付器具に取り付けられる取付部３４が底面３７側に設けられた取付台３０と、取付台３０の上面３１に固定され、光源モジュール１０の配光を制御する反射鏡２０と、を備え、発光素子１１に電気的に接続され、リード線が接続されるコネクタ１４を実装基板１２の裏面１２Ａに突設し、取付台３０の上面３１には底面３７側に貫通し実装基板１２が載置されたときにコネクタ１４が入り込む貫通孔３６を設けた。
【００３５】
この構成によれば、光源モジュール１０に接続されるリード線は、反射鏡２０が備えられた発光素子１１の発光部の上側、つまり、光源モジュール１０の表面からではなく、取付台３０の貫通孔３６を通して、実装基板１２の裏面１２Ａのコネクタ１４に接続することができる。これにより、光源モジュール１０を取付台３０の上面３１で受けることができ、光源モジュール１０を反射鏡２０の焦点位置からずれることなく設けることができる。また、反射鏡２０を取付台３０の上面３１に固定することで反射鏡２０の焦点位置を光源モジュール１０に簡単に合わせることができる。さらに、コネクタ１４を貫通孔３６に入り込ませることで、光源モジュール１０を取付台３０に対して位置決めすることができる。これらの構成により、光源ユニット１の組み立て時に反射鏡２０の焦点と光源モジュール１０の位置合わせを高精度に行うことができ、反射鏡２０の焦点と光源モジュール１０の位置ずれを防止することができる。
【００３６】
また、本発明を適用した実施形態によれば、取付台３０には反射鏡２０の下端部２５が挿入固定され、反射鏡２０の下端２５Ｂと取付台３０の間には、挿入された反射鏡２０の下端２５Ｂを押圧する弾性部材４１を備えた。これにより、反射鏡２０の下端２５Ｂと、取付台３０の上面３１との間の製造誤差等によるがたつきを弾性部材４１で吸収し、反射鏡２０の焦点が光源モジュール１０に合うように、反射鏡２０を取り付けることができ、るため、光源ユニット１の組み立て時に反射鏡２０の焦点と光源モジュール１０の位置合わせを高精度に行うことができ、反射鏡２０の焦点と光源モジュール１０の位置ずれを防止することができる。
【００３７】
また、本発明を適用した実施形態によれば、反射鏡２０、及び取付台３０が高熱伝導性材から形成され、反射鏡２０の下端部２５には取付台３０に挿入されて取付台３０と面で接触するフランジ部２４を備えたため、光源モジュール１０の発熱は、光源モジュール１０が載置された上面３１を介して取付台３０に伝導され、取付台３０に面で接触するフランジ部２４を介して反射鏡２０に伝導される。これにより、取付台３０、及び、反射鏡２０の表面から光源モジュール１０の発熱を光源ユニット１の外部に効率よく放熱させることができ、光源モジュール１０の発熱が光源ユニット１の内部に籠るのを防止することができる。
【００３８】
また、本発明を適用した実施形態によれば、反射鏡２０の下端部３４を取付台３０にねじ込み固定したため、反射鏡２０を取付台３０にねじ等の固定具を用いて固定する必要がないため、組み立て時の作業の効率化を図ることができる。また、例えば反射鏡２０を取付台３０に上からねじ止めする場合には、取付台３０にねじ孔を形成するため、取付台３０の外径寸法が反射鏡２０よりも大きくなるが、この構成によれば、反射鏡２０を取付台３０にねじ込み固定可能に構成したため、取付台３０の小型化を図ることができる。
【００３９】
また、本発明を適用した実施形態によれば、取付台３０の取付部３４には、設置面又は／及び取付器具に設けられた保持アダプター５０，６０に係合して保持される係合部３５を備えたため、光源ユニット１をねじ止め等することなく、設置面又は／及び取付器具に簡単に取り付け・交換することができる。
【符号の説明】
【００４０】
１  光源ユニット
１０  光源モジュール（光源）
１１  発光素子
１２  実装基板
１２Ａ  実装面（実装基板裏面）
１４  コネクタ
２０  反射鏡
２４  フランジ部
２５  下端部
３０  取付台
３１  上面
３４  取付部
３５  係合部
３６  貫通孔
３７  底面
４１、４２  弾性部材（パッキン）
５０、６０  保持アダプター
【図１】
0005901222.tif 000002
【図２】
0005901222.tif 000003
【図３】
0005901222.tif 000004
【図４】
0005901222.tif 000005
【図５】
0005901222.tif 000006
【図６】
0005901222.tif 000007
【図７】
0005901222.tif 000008
【図８】
0005901222.tif 000009
【図９】
0005901222.tif 000010
【図１０】
0005901222.tif 000011
【図１１】
0005901222.tif 000012
【図１２】
0005901222.tif 000013